【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
携帯電話装置の割賦販売の契約によって発生する債権を管理する割賦債権管理システムであって、
前記割賦販売の契約の対象となり得る商品の商品識別情報ごとに対応した割賦返済期間及び割賦金額を含むリファレンス情報を保持するリファレンス情報保持手段と；
前記割賦販売契約の際に指定された購入商品に関する商品識別情報、契約者情報、請求先特定情報及び契約返済期間を含む契約マスタ情報が保持される契約マスタ情報保持手段と；
前記割賦販売契約の対象となり得る商品の内から選択された購入商品に関する商品識別情報、契約者情報、請求先特定情報及び契約返済期間を含む購入契約情報と、前記リファレンス情報とに基づいて、前記契約マスタ情報を生成し、前記契約マスタ情報保持手段に登録する契約マスタ情報生成手段と；
前記購入商品ごとに、請求すべき金額である請求金額、前記請求先特定情報、及び、請求済みであるか否かを示す請求状況情報を含む請求明細情報を保持する請求明細情報保持手段と；
前記契約マスタ情報保持手段に保持された前記契約マスタ情報に基づき、前記購入商品ごとに、次回の支払請求に先立って、前記請求明細情報を生成して、前記請求明細情報保持手段に登録する請求明細情報生成手段と；
前記請求先特定情報ごとに、請求毎金額を含む請求情報を、請求書発行及び入金を管理する料金管理サーバへ送り、その後に前記請求明細情報保持手段に保持された前記請求状況情報を更新する請求情報処理手段と；
前記請求情報に対応する入金状況情報を含む入金明細情報を保持する入金明細情報保持手段と；
前記請求明細情報保持手段に保持された前記請求明細情報に基づいて、前記入金明細情報を生成し、前記入金明細情報保持手段に登録する入金明細情報生成手段と；
前記料金管理サーバからの入金情報に基づいて、前記入金明細情報保持手段における前記入金状況情報を更新する入金情報処理手段と；を備え、
前記契約マスタ情報には、請求済情報及び入金済情報が更に含まれ、
前記請求情報処理手段は、前記請求情報の送信の後に、前記契約マスタ情報保持手段内の前記請求済情報を更新し、
前記入金情報処理手段は、前記請求済情報に対応する満額入金が確認された場合に、前記契約マスタ情報保持手段内の前記入金済情報を更新する、
ことを特徴とする割賦債権管理システム。
【請求項２】
前記請求情報処理手段は、前記請求先特定情報が同一である複数の請求明細情報が存在する場合には、前記複数の請求明細情報における請求金額の合算額を前記請求毎金額として含む前記請求情報を、前記料金管理サーバへ送る、ことを特徴とする請求項１に記載の割賦債権管理システム。
【請求項３】
前記購入契約情報には、前記料金管理サーバによる周期的な支払請求書の発行に関する複数の請求書発行時期から前記購入商品のために選択された請求書発行時期に対応する選択発行時期情報が更に含まれ、
前記請求明細情報には、前記選択発行時期情報が更に含まれ、
前記請求情報処理手段は、前記請求明細情報保持手段に保持された前記選択発行時期情報を参照し、前記選択発行時期情報により特定される請求書発行時期に対応して定まる時期に、前記請求情報を前記料金管理サーバへ送る、
ことを特徴とする請求項１又は２に記載の割賦債権管理システム。
【請求項４】
前記料金管理サーバは、前記購入商品による通信サービス利用の課金処理を更に行い、
前記リファレンス情報には、前記割賦販売契約の種類を示す契約種類情報、並びに前記契約種類情報ごとに対応する前記通信サービス利用の料金の割引情報であるサービス割引情報が更に含まれ、
前記購入契約情報には、前記契約種類情報の指定及び契約日情報が更に含まれ、
前記契約マスタ情報には、前記契約種類情報、前記契約日情報、並びに前記サービス割引情報に対応して定まるサービス割引期間情報及びサービス割引額情報が更に含まれ、
前記請求明細情報には、前記契約日情報、前記サービス割引期間情報及び前記サービス割引額情報が更に含まれ、
前記請求情報処理手段は、前記サービス割引期間情報により定まる期間中には、前記サービス割引額情報を前記請求情報とともに前記料金管理サーバへ送る、
ことを特徴とする請求項１から３のいずれか一項に記載の割賦債権管理システム。
【請求項５】
前記購入契約情報には、前記購入商品に関する割引情報である商品割引情報が更に含まれ、
前記契約マスタ情報には、前記商品割引情報により定まる各回の支払請求毎の割引額情報である各回割引額情報が更に含まれ、
前記請求明細情報には、前記各回割引額情報を反映した割引請求毎金額情報が前記請求金額として更に含まれる、
ことを特徴とする請求項１から４のいずれか一項に記載の割賦債権管理システム。
【請求項６】
割賦販売の契約の対象となり得る携帯電話装置の商品識別情報ごとに対応した割賦返済期間及び割賦金額を含むリファレンス情報を保持するリファレンス情報保持手段と；前記割賦販売契約の際に指定された購入商品に関する商品識別情報、契約者情報、請求先特定情報及び契約返済期間を含む契約マスタ情報が保持される契約マスタ情報保持手段と；前記購入商品ごとに、請求すべき金額である請求金額、前記請求先特定情報、及び、請求済みであるか否かを示す請求状況情報を含む請求明細情報を保持する請求明細情報保持手段と；前記請求情報に対応する入金状況情報を含む入金明細情報を保持する入金明細情報保持手段と；を備える割賦債権管理システムにおいて使用される割賦債権管理方法であって、
前記割賦販売契約の対象となり得る商品の内から選択された購入商品に関する商品識別情報、契約者情報、請求先特定情報及び契約返済期間を含む購入契約情報と、前記リファレンス情報とに基づいて、前記契約マスタ情報を生成し、前記契約マスタ情報保持手段に登録する契約マスタ情報生成工程と；
前記契約マスタ情報保持手段に保持された前記契約マスタ情報に基づき、前記購入商品ごとに、次回の支払請求に先立って、前記請求明細情報を生成して、前記請求明細情報保持手段に登録する請求明細情報生成工程と；
前記請求先特定情報ごとに、請求毎金額を含む請求情報を、請求書発行及び入金を管理する料金管理サーバへ送る請求情報処理工程と；
前記請求明細情報保持手段に保持された前記請求状況情報を更新する請求明細情報更新工程と；
前記請求明細情報保持手段に保持された前記請求明細情報に基づいて、前記入金明細情報を生成し、前記入金明細情報保持手段に登録する入金明細情報生成工程と；
前記料金管理サーバからの入金情報に基づいて、前記入金明細情報保持手段における前記入金状況情報を更新する入金情報処理工程と；を備え、
前記契約マスタ情報には、請求済情報及び入金済情報が更に含まれ、
前記請求情報処理工程では、前記請求情報の送信の後に、前記契約マスタ情報保持手段内の前記請求済情報を更新し、
前記入金情報処理工程では、前記請求済情報に対応する満額入金が確認された場合に、前記契約マスタ情報保持手段内の前記入金済情報を更新する、
ことを特徴とする割賦債権管理方法。
【手続補正２】
【補正対象書類名】明細書
【補正対象項目名】０００９
【補正方法】変更
【補正の内容】
【０００９】
本発明は、第１の観点からすると、携帯電話装置の割賦販売の契約によって発生する債権を管理する割賦債権管理システムであって、前記割賦販売の契約の対象となり得る商品の商品識別情報ごとに対応した割賦返済期間及び割賦金額を含むリファレンス情報を保持するリファレンス情報保持手段と；前記割賦販売契約の際に指定された購入商品に関する商品識別情報、契約者情報、請求先特定情報及び契約返済期間を含む契約マスタ情報が保持される契約マスタ情報保持手段と；前記割賦販売契約の対象となり得る商品の内から選択された購入商品に関する商品識別情報、契約者情報、請求先特定情報及び契約返済期間を含む購入契約情報と、前記リファレンス情報とに基づいて、前記契約マスタ情報を生成し、前記契約マスタ情報保持手段に登録する契約マスタ情報生成手段と；前記購入商品ごとに、請求すべき金額である請求金額、前記請求先特定情報、及び、請求済みであるか否かを示す請求状況情報を含む請求明細情報を保持する請求明細情報保持手段と；前記契約マスタ情報保持手段に保持された前記契約マスタ情報に基づき、前記購入商品ごとに、次回の支払請求に先立って、前記請求明細情報を生成して、前記請求明細情報保持手段に登録する請求明細情報生成手段と；前記請求先特定情報ごとに、請求毎金額を含む請求情報を、請求書発行及び入金を管理する料金管理サーバへ送り、その後に前記請求明細情報保持手段に保持された前記請求状況情報を更新する請求情報処理手段と；前記請求情報に対応する入金状況情報を含む入金明細情報を保持する入金明細情報保持手段と；前記請求明細情報保持手段に保持された前記請求明細情報に基づいて、前記入金明細情報を生成し、前記入金明細情報保持手段に登録する入金明細情報生成手段と；前記料金管理サーバからの入金情報に基づいて、前記入金明細情報保持手段における前記入金状況情報を更新する入金情報処理手段と；を備え、前記契約マスタ情報には、請求済情報及び入金済情報が更に含まれ、前記請求情報処理手段は、前記請求情報の送信の後に、前記契約マスタ情報保持手段内の前記請求済情報を更新し、前記入金情報処理手段は、前記請求済情報に対応する満額入金が確認された場合に、前記契約マスタ情報保持手段内の前記入金済情報を更新する、ことを特徴とする割賦債権管理システムである。
【手続補正３】
【補正対象書類名】明細書
【補正対象項目名】００１５
【補正方法】変更
【補正の内容】
【００１５】
そして、料金管理サーバからの入金情報を受けると、入金情報処理手段が、受信した入金情報に基づいて、入金明細情報保持手段における前記入金状況情報の入金状況情報を更新する。
さらに、契約マスタ情報には、請求済情報及び入金済情報が更に含まれており、請求情報処理手段が、請求情報の送信の後に、契約マスタ情報保持手段内の請求済情報を更新するとともに、入金情報処理手段が、請求済情報に対応する満額入金が確認された場合に、契約マスタ情報保持手段内の入金済情報を更新する。このため、契約マスタ情報保持手段に保持されている契約マスタ情報のみを参照することで、契約内容、並びに請求状況及び入金状況を知ることができる。
【手続補正４】
【補正対象書類名】明細書
【補正対象項目名】００２２
【補正方法】削除
【補正の内容】
【手続補正５】
【補正対象書類名】明細書
【補正対象項目名】００２６
【補正方法】変更
【補正の内容】
【００２６】
また、本発明の割賦債権管理システムでは、前記料金管理サーバは、前記購入商品による通信サービス利用の課金処理を更に行い、前記リファレンス情報には、前記割賦販売契約の種類を示す契約種類情報、並びに前記契約種類情報ごとに対応する前記通信サービス利用の料金の割引情報であるサービス割引情報が更に含まれ、前記購入契約情報には、前記契約種類情報の指定及び契約日情報が更に含まれ、前記契約マスタ情報には、前記契約種類情報、前記契約日情報、並びに前記サービス割引情報に対応して定まるサービス割引期間情報及びサービス割引額情報が更に含まれ、前記請求明細情報には、前記契約日情報、前記サービス割引期間情報及び前記サービス割引額情報が更に含まれ、前記請求情報処理手段は、前記サービス割引期間情報により定まる期間中には、前記サービス割引額情報を前記請求情報とともに前記料金管理サーバへ送るようにすることができる。この場合には、キャンペーン期間における特別なサービス料金割引を行った場合に、当該特別な割引を行ったサービス料金請求を、効率的にかつ確実に行うことができる。
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】変更
【補正の内容】
【００２９】
本発明は、第２の観点からすると、割賦販売の契約の対象となり得る携帯電話装置の商品識別情報ごとに対応した割賦返済期間及び割賦金額を含むリファレンス情報を保持するリファレンス情報保持手段と；前記割賦販売契約の際に指定された購入商品に関する商品識別情報、契約者情報、請求先特定情報及び契約返済期間を含む契約マスタ情報が保持される契約マスタ情報保持手段と；前記購入商品ごとに、請求すべき金額である請求金額、前記請求先特定情報、及び、請求済みであるか否かを示す請求状況情報を含む請求明細情報を保持する請求明細情報保持手段と；前記請求情報に対応する入金状況情報を含む入金明細情報を保持する入金明細情報保持手段と；を備える割賦債権管理システムにおいて使用される割賦債権管理方法であって、前記割賦販売契約の対象となり得る商品の内から選択された購入商品に関する商品識別情報、契約者情報、請求先特定情報及び契約返済期間を含む購入契約情報と、前記リファレンス情報とに基づいて、前記契約マスタ情報を生成し、前記契約マスタ情報保持手段に登録する契約マスタ情報生成工程と；前記契約マスタ情報保持手段に保持された前記契約マスタ情報に基づき、前記購入商品ごとに、次回の支払請求に先立って、前記請求明細情報を生成して、前記請求明細情報保持手段に登録する請求明細情報生成工程と；前記請求先特定情報ごとに、請求毎金額を含む請求情報を、請求書発行及び入金を管理する料金管理サーバへ送る請求情報処理工程と；前記請求明細情報保持手段に保持された前記請求状況情報を更新する請求明細情報更新工程と；前記請求明細情報保持手段に保持された前記請求明細情報に基づいて、前記入金明細情報を生成し、前記入金明細情報保持手段に登録する入金明細情報生成工程と；前記料金管理サーバからの入金情報に基づいて、前記入金明細情報保持手段における前記入金状況情報を更新する入金情報処理工程と；を備え、前記契約マスタ情報には、請求済情報及び入金済情報が更に含まれ、前記請求情報処理工程では、前記請求情報の送信の後に、前記契約マスタ情報保持手段内の前記請求済情報を更新し、前記入金情報処理工程では、前記請求済情報に対応する満額入金が確認された場合に、前記契約マスタ情報保持手段内の前記入金済情報を更新する、ことを特徴とする割賦債権管理方法である。
【手続補正８】
【補正対象書類名】明細書
【補正対象項目名】００３４
【補正方法】変更
【補正の内容】
【００３４】
そして、料金管理サーバからの入金情報を受けると、入金情報処理工程において、料金管理サーバから受信した入金情報に基づいて、入金明細情報保持手段における入金状況情報の入金状況情報が更新される。
さらに、契約マスタ情報には、請求済情報及び入金済情報が更に含まれており、請求情報処理工程において、請求情報の送信の後に、契約マスタ情報保持手段内の請求済情報が更新されるとともに、入金情報処理工程において、請求済情報に対応する満額入金が確認された場合に、契約マスタ情報保持手段内の入金済情報が更新される。このため、契約マスタ情報保持手段に保持されている契約マスタ情報のみを参照することで、契約内容、並びに請求状況及び入金状況を知ることができる。
【手続補正９】
【補正対象書類名】明細書
【補正対象項目名】００４１
【補正方法】削除
【補正の内容】
【手続補正１０】
【補正対象書類名】明細書
【補正対象項目名】００４５
【補正方法】変更
【補正の内容】
【００４５】
また、本発明の割賦債権管理方法では、前記料金管理サーバが、前記購入商品による通信サービス利用の課金処理を更に行い、前記リファレンス情報には、前記割賦販売契約の種類を示す契約種類情報、並びに前記契約種類情報ごとに対応する前記通信サービス利用の料金の割引情報であるサービス割引情報が更に含まれ、前記購入契約情報には、前記契約種類情報の指定及び契約日情報が更に含まれ、前記契約マスタ情報には、前記契約種類情報、前記契約日情報、並びに前記サービス割引情報に対応して定まるサービス割引期間情報及びサービス割引額情報が更に含まれ、前記請求明細情報には、前記契約日情報、前記サービス割引期間情報及び前記サービス割引額情報が更に含まれるとともに、前記請求情報処理工程において、前記サービス割引期間情報により定まる期間中には、前記サービス割引額情報を前記請求情報とともに前記料金管理サーバへ送るようにすることができる。この場合には、サービスキャンペーン期間における特別な割引を行った場合に、当該特別な割引を行ったサービス料金請求を、効率的にかつ確実に行うことができる。